(57)【要約】【課題】炊飯器本体の上面開口部を開閉自在に覆う蓋体を有する炊飯器において、使用者がロック解除操作しなくても蓋体を開成できるようにし、使い勝手を向上する。【解決手段】炊飯器本体１３内に着脱自在に収納した内鍋１４を加熱手段１５により加熱し、炊飯器本体１３の上面開口部を蓋体１６により覆い、この蓋体１６をヒンジ軸１７により炊飯器本体１３の一側に枢支するとともにヒンジばね１６により蓋体１６を開成方向に付勢し、この蓋体１６をフックレバー２０によりロックし、制御部２６により蓋体１６のロックを解除するように制御する。制御部２６は、しゃもじの接近を検知するしゃもじ検知センサー２５からの出力により、フックレバー２０のロックを解除する動作部２７を介して蓋体１６のロックを解除するようにする。【選択図】図１
2006068278.tif 000002
【特許請求の範囲】
【請求項１】
炊飯器本体と、前記炊飯器本体内に着脱自在に収納される内鍋と、前記内鍋を加熱する加熱手段と、前記炊飯器本体の上面開口部を覆う蓋体と、前記蓋体を炊飯器本体の一側に枢支するヒンジ軸と、前記蓋体を開成方向に付勢する弾性部材と、前記蓋体をロックする開閉手段と、しゃもじの接近を検知するしゃもじ検知センサーと、前記蓋体のロックを解除するように制御する制御部と、前記制御部からの信号により前記開閉手段のロックを解除する動作部とを備え、前記制御部は、前記しゃもじ検知センサーからの出力により蓋のロックを解除するようにした炊飯器。
【請求項２】
炊飯器本体と、前記炊飯器本体内に着脱自在に収納される内鍋と、前記内鍋を加熱する加熱手段と、前記炊飯器本体内の上面開口部を覆う蓋体と、前記蓋体を炊飯器本体の一側に枢支するヒンジ軸と、前記蓋体を開成方向付勢する弾性部材と、前記炊飯器本体または蓋体のいずれか一方に設けた磁性体と、前記炊飯器本体または蓋体のいずれか他方に設けた電磁石と、しゃもじの接近を検知するしゃもじ検知センサーと、前記蓋体のロックを制御する制御部とを備え、前記制御部は、前記しゃもじ検知センサーからの出力により、しゃもじが接近していないときは、前記電磁石に電流を流し磁力で蓋体をロックし、しゃもじが接近したときには電流を流さずロックを解除するようにした炊飯器。
【請求項３】
制御部は、炊飯中には、しゃもじ検知センサーがしゃもじの接近を検知しても蓋体が開かないよう制御するようにした請求項１または２記載の炊飯器。
【請求項４】
制御部は、炊飯終了後、所定の時間蓋体を開くよう制御するようにした請求項１〜３のいずれか１項に記載の炊飯器。
【請求項５】
制御部は、所定の時間後蓋体を閉めるよう制御するようにした請求項４記載の炊飯器。
【発明の詳細な説明】
【技術分野】
【０００１】
本発明は、炊飯器本体の上面開口部を開閉自在に覆う蓋体を有する炊飯器に関するものである。
【背景技術】
【０００２】
従来、この種の炊飯器は、蓋体の開閉機構として、例えば、蓋体を開閉方向に付勢する弾性部材を備え、炊飯器本体と蓋体との係合ロックしている係合装置を解除するフックレバーを押すことによって蓋が開く構成としているものがあった（例えば、特許文献１参照）。
【０００３】
図８は、特許文献１に記載された従来の炊飯器を示すものである。以下、その構成について説明する。
【０００４】
図８に示すように、炊飯器本体１は有底筒状の形をしており、この炊飯器本体１の内側に内鍋２を着脱自在に収納し、加熱手段３によって内鍋２を加熱している。炊飯器本体１の上面開口部に蓋体４を開閉自在に配設し、蓋体４は炊飯器本体１の一側に枢支するヒンジ部でヒンジ軸５により炊飯器本体１の一側に枢支している。また、ヒンジ軸５に関連して常に蓋体４を開成する方向に付勢した弾性部材であるヒンジばね６を設け、ヒンジ軸５の近傍に蓋体４の開成時のショックを緩和する円弧状のダンパー７を設けている。
【０００５】
一方、蓋体４を枢支した反対側の炊飯器本体１の内側には、蓋体４を閉成状態で係合するフックレバー８をフックレバー軸９、フックレバー付勢ばね１０を用いて装着し、フックレバー８の一部は押圧操作する操作部１１として炊飯器本体１より凹部で外部にある。
【０００６】
フックレバー８に対向する蓋体４側にフック１２を設けており、図８に示すように、蓋体４の閉成状態でのフックレバー８の下端部とフック１２の上端部が係合し、ヒンジばね６の付勢力に対してロック状態にある。そして、蓋体４を開成するときは、操作部１１を押圧すればフックレバー８とフック１２の係合が外れ、ヒンジばね６の付勢力により蓋体４は自動的に開成される。また、この開成動作のときに終段階ではダンパー７の働きにより蓋体４は静かに開成停止させることができる。
【特許文献１】特開昭５９−２３２５１９号公報
【発明の開示】
【発明が解決しようとする課題】
【０００７】
しかしながら、このような従来の構成では、加熱手段３によって加熱された内鍋３からフックレバー８が近いと、内鍋３によりフックレバー８が加熱されて、フックレバー８の温度が高くなってしまい、使用者が触れるときに熱く感じてしまうため、内鍋２とフックレバー８の距離を短くして、コンパクトな炊飯器を作るのには限界があり、また、手が塞がっているときや、フックレバー８の操作力が強いときなど容易に蓋体４を開閉できないという問題を有していた。
【０００８】
本発明は上記従来の課題を解決するもので、使用者がロック解除操作しなくても蓋体を開成できるようにし、使い勝手を向上することを第１の目的としている。
【０００９】
また、磁力で蓋体をロックして蓋体のロックを解除する部材をなくし、使用者がロック解除操作することなく蓋体を開成できるようにし、また、蓋体のロックを解除する部材と炊飯器本体との継ぎ目をなくして、手入れ性ならびに美観を向上することを第２の目的としている。
【課題を解決するための手段】
【００１０】
本発明は上記第１の目的を達成するために、炊飯器本体内に着脱自在に収納した内鍋を加熱手段により加熱し、炊飯器本体の上面開口部を蓋体により覆い、この蓋体をヒンジ軸により炊飯器本体の一側に枢支するとともに弾性部材により蓋体を開成方向に付勢し、この蓋体を開閉手段によりロックし、制御部により蓋体のロックを解除するように制御するよう構成し、制御部は、しゃもじの接近を検知するしゃもじ検知センサーからの出力により、開閉手段のロックを解除する動作部を介して蓋体のロックを解除するようにしたものである。
【００１１】
これにより、使用者がロック解除操作しなくても蓋体を開成することができ、使い勝手を向上することができる。
【００１２】
また、上記第２の目的を達成するために、炊飯器本体内に着脱自在に収納した内鍋を加熱手段により加熱し、炊飯器本体の上面開口部を蓋体により覆い、この蓋体をヒンジ軸により炊飯器本体の一側に枢支するとともに弾性部材により蓋体を開成方向に付勢し、炊飯器本体または蓋体のいずれか一方に磁性体を設けるとともに、炊飯器本体または蓋体のいずれか他方に電磁石を設け、蓋体のロックを制御部により制御するよう構成し、制御部は、しゃもじの接近を検知するしゃもじ検知センサーからの出力により、しゃもじが接近していないときは、電磁石に電流を流し磁力で蓋体をロックし、しゃもじが接近したときには電流を流さずロックを解除するようにしたものである。
【００１３】
これにより、磁力で蓋体をロックできるので、蓋体のロックを解除する部材をなくすことができ、使用者がロック解除操作することなく蓋体を開成することができ、また、蓋体のロックを解除する部材と炊飯器本体との継ぎ目をなくすことができて、手入れ性ならびに美観を向上することができる。
【発明の効果】
【００１４】
本発明の炊飯器は、使用者がロック解除操作しなくても蓋体を開成することができ、使い勝手を向上することができる。
【発明を実施するための最良の形態】
【００１５】
第１の発明は、炊飯器本体と、前記炊飯器本体内に着脱自在に収納される内鍋と、前記内鍋を加熱する加熱手段と、前記炊飯器本体の上面開口部を覆う蓋体と、前記蓋体を炊飯器本体の一側に枢支するヒンジ軸と、前記蓋体を開成方向に付勢する弾性部材と、前記蓋体をロックする開閉手段と、しゃもじの接近を検知するしゃもじ検知センサーと、前記蓋体のロックを解除するように制御する制御部と、前記制御部からの信号により前記開閉手段のロックを解除する動作部とを備え、前記制御部は、前記しゃもじ検知センサーからの出力により蓋のロックを解除するようにしたものであり、ご飯をよそおうとしてしゃもじを炊飯器本体に近づけたときに、しゃもじの接近を検知して、使用者がロック解除操作しなくても蓋体を開成することができ、使い勝手を向上することができる。
【００１６】
第２の発明は、炊飯器本体と、前記炊飯器本体内に着脱自在に収納される内鍋と、前記内鍋を加熱する加熱手段と、前記炊飯器本体内の上面開口部を覆う蓋体と、前記蓋体を炊飯器本体の一側に枢支するヒンジ軸と、前記蓋体を開成方向付勢する弾性部材と、前記炊飯器本体または蓋体のいずれか一方に設けた磁性体と、前記炊飯器本体または蓋体のいずれか他方に設けた電磁石と、しゃもじの接近を検知するしゃもじ検知センサーと、前記蓋体のロックを制御する制御部とを備え、前記制御部は、前記しゃもじ検知センサーからの出力により、しゃもじが接近していないときは、前記電磁石に電流を流し磁力で蓋体をロックし、しゃもじが接近したときには電流を流さずロックを解除するようにしたものであり、磁力で蓋体をロックできるので、蓋体のロックを解除する部材をなくすことができ、使用者がロック解除操作することなく蓋体を開成することができ、また、蓋体のロックを解除する部材と炊飯器本体との継ぎ目をなくすことができて、手入れ性ならびに美観を向上することができる。
【００１７】
第３の発明は、上記第１または第２の発明において、制御部は、炊飯中には、しゃもじ検知センサーがしゃもじの接近を検知しても蓋体が開かないよう制御するようにしたものであり、炊飯中にしゃもじを近づけても、蓋体が開くことはなく、炊飯性能に影響を及ぼすことはなくなる。
【００１８】
第４の発明は、上記第１〜３のいずれか１つの発明において、制御部は、炊飯終了後、所定の時間蓋体を開くよう制御するようにしたものであり、炊飯器内に余分に溜まった水分を蒸発させることができ、水分をとばすために入れていた過剰な加熱を減らすことができ、ご飯の表面部における部分乾燥を抑えることができ、より良いご飯を提供することができる。
【００１９】
第５の発明は、上記第４の発明において、制御部は、所定の時間後蓋体を閉めるよう制御するようにしたものであり、余分な蒸気を逃がした後、蒸気を逃がさずご飯の乾燥を防ぐことができる。
【００２０】
以下、本発明の実施の形態について、図面を参照しながら説明する。なお、この実施の形態によって本発明が限定されるものではない。
【００２１】
（実施の形態１）
図１は、本発明の実施の形態１における炊飯器の側断面図を示すものである。
【００２２】
図１に示すように、炊飯器本体１３は有底筒状の形をしており、この炊飯器本体１３の内側に内鍋１４を着脱自在に収納し、加熱手段１５によって内鍋１４を加熱している。炊飯器本体１３の上面開口部に蓋体１６を開閉自在に配設し、蓋体１６は炊飯器本体１３の一側に枢支するヒンジ部でヒンジ軸１７により炊飯器本体１３の一側に枢支している。また、ヒンジ軸１７に関連して常に蓋体１６を開成する方向に付勢した弾性部材であるヒンジばね１８を設け、ヒンジ軸１７の近傍には蓋体１６の開成時のショックを緩和する円弧状のダンパー１９を設けている。
【００２３】
一方、蓋体１６を枢支した反対側の炊飯器本体１３の内側に、蓋体１６を閉成状態にロックする開閉手段であるフックレバー２０をフックレバー軸２１、フックレバー付勢ばね２２を用いて装着し、フックレバー２０の一部は押圧操作する操作部２３として炊飯器本体１３より凹部で外部にある。
【００２４】
フックレバー２０に対向する蓋体１６側には、フック２４を設けており、蓋体１６の開成状態でのフックレバー２０の下端部とフック２４の上端部が係合し、ヒンジばね１８の付勢力に対してロック状態にある。
【００２５】
また、炊飯器本体１３の前面には、しゃもじの接近を検知するしゃもじ検知センサー２５を設けている。しゃもじ検知センサー２５は、しゃもじに内蔵した鉄などの金属に反応する金属探知機などで構成しており、金属探知機にはコイルとレシーバーを設け、発振状態にある回路のコイルに金属片を近づけることによって、発振周波数が変化し、その状態をレシーバーで発振音としてキャッチし、しゃもじに内蔵された金属の接近を検知する構成としている。しゃもじ検知センサー２５は、人がご飯をよそうときにしゃもじを炊飯器本体１３に近づける３０ｃｍ位の距離にしゃもじが近づいたとき、発振周波数に変化をキャッチし、しゃもじの検知を行う。
【００２６】
制御部２６は、しゃもじ検知センサー２５によりしゃもじの接近を検知したとき、炊飯器本体１３と蓋体１６とのロックを解除するように制御するものであり、動作部部２７は、制御部２６からの信号によりフックレバー２０のロックを解除するもので、しゃもじの接近を検知したとき、制御部２６からの信号により、フックレバー２０を炊飯器本体１３の後部に引き寄せるよう構成している。
【００２７】
上記構成において動作、作用を説明する。しゃもじ検知センサー２５はしゃもじの接近を検知してその出力を制御部２６に入力し、制御部２６はしゃもじ検知センサー２５からの出力を入力することにより、炊飯器本体１３と蓋体１６とのロックを解除するように動作部２７に信号を送り、動作部２７がフックレバー２０と炊飯器本体１３に後部に引き寄せる。この結果、フックレバー２０と蓋体１６とのロックが外れ、ヒンジばね１８により蓋体１６は開成方向に付勢され、フックレバー２０に触れなくても蓋体１６を開くことができる。
【００２８】
以上のように、本実施の形態においては、制御部２６は、しゃもじの接近を検知するしゃもじ検知センサー２５からの出力により、フックレバー２０のロックを解除する動作部２７を介して蓋体１６のロックを解除するようにしたので、ご飯をよそおうとしてしゃもじが炊飯器本体１３に近づいたときに、しゃもじの接近を検知してフックレバー２０に触れなくれも、すなわち、使用者がロック解除操作しなくても蓋体１６を開成することができ、使い勝手を向上することができる。
【００２９】
なお、動作部２７は、図２に示すように、モータ２８を用い、モータ２８の動力をフックレバー２０に伝達する伝達部２９を設ける構成としてもよい。この構成により、しゃもじ検知センサー２５によりしゃもじの接近を検知して制御部２６がしゃもじ検知センサー２５からの出力を入力することにより、炊飯器本体１３と蓋体１６とのロックを解除するようにモータ２８に信号を送り、モータ２８が時計回りに回転することにより、伝達部２９がフックレバー２０を炊飯器本体１３の後部に引き寄せ、フックレバー２０と蓋体１６とのロックが外れ、ヒンジばね１８により蓋体１６は開成方向に付勢され、フックレバー２０に触れなくても蓋体１６を開くことができる。
【００３０】
また、図３に示すように、フックレバー２０の一部に磁性体３０を設け、動作部２７に電磁石３１を設ける構成としてもよい。この構成により、しゃもじ検知センサー２５によりしゃもじの接近を検知して制御部２６が人体検知センサー２５からの出力を入力し、制御部２６は電磁石３１にフックレバー２０の一部に設けた磁性体３０と対極の磁力を発生する電流を流すように制御する。電流が流れることによって、電磁石３１は磁力を発生しフックレバー２０の一部に設けた磁性体３０を炊飯器本体１３の後部に引き寄せ、フックレバー２０と蓋体１６とのロックが外れ、ヒンジばね１８により蓋体１６は開成方向に付勢され、フックレバー２０に触れなくても蓋体１６を開くことができる。
【００３１】
なお、図３では、フックレバー２０に磁性体３０を設け、動作部２７に電磁石３１を設けたが、逆に設けてもよい。また、フックレバー２０の一部に磁性体を設けたが、フックレバー２０全体が磁性体でもよい。
【００３２】
なお、本実施の形態では、金属探知機に、発振周波数の変化を利用した構成を用いたが、コイルと電流計とで構成し、電流を流したときに発生する磁力線の変化を利用した構成でもよい。コイルと電流計とで構成した金属探知機は、コイルに電流を流した際に発生する磁力線が、コイルの近くに金属を近づけると、発生した磁力線が影響を受けるため、コイルに流れる電流の変化を検知することにより、金属の検知を行う。
【００３３】
また、本実施の形態では、しゃもじ検知センサー２５は金属探知機で構成したが、赤外線発光ダイオードと赤外線センサーとしてのダイオードとを組み合せ、発光ダイオードからの赤外線がしゃもじによって反射してきたものを赤外線センサーで受けて電気信号を出力するよう構成してもよい。
【００３４】
また、しゃもじ検知センサー２５のしゃもじの検知は、しゃもじが炊飯器に３０ｃｍ位近づいたときに検知する構成としたが、ご飯をよそうときに近づく必要のある５０ｃｍ以内であれば問題ない。
【００３５】
（実施の形態２）
図４は、本発明の実施の形態２における炊飯器の側断面図を示すものである。
【００３６】
図４に示すように、炊飯器本体３３は有底筒状の形をしており、この炊飯器本体３３の内側に内鍋３４を着脱自在に収納し、加熱手段３５によって内鍋３４を加熱している。炊飯器本体３３の上面開口部に蓋体３６を開閉自在に配設し、蓋体３６は炊飯器本体３３の一側に枢支するヒンジ部でヒンジ軸３７により炊飯器本体３３の一側に枢支している。また、ヒンジ軸３７に関連して常に蓋体３６を開成する方向に付勢した弾性部材であるヒンジばね３８を設け、ヒンジ軸３７の近傍には蓋体３６の開成時のショックを緩和する円弧状のダンパー３９を設けている。
【００３７】
一方、蓋体３６を枢支した反対側の炊飯器本体３３の上部に磁性体４０を設け、蓋体３６の前方部には電磁石４１を設けている。また、炊飯器本体３３の前面には、しゃもじの接近を検知するしゃもじ検知センサー４２を設けている。しゃもじ検知センサー４２は、しゃもじに内蔵した鉄などの金属に反応する金属探知機などで構成しており、金属探知機にはコイルとレシーバーを設け、発振状態にある回路のコイルに金属片を近づけることによって、発振周波数が変化し、その状態をレシーバーで発振音としてキャッチし、しゃもじに内蔵された金属の接近を検知する構成としている。しゃもじ検知センサー４２は、人がご飯をよそうときにしゃもじを炊飯器本体３３に近づける３０ｃｍ位の距離にしゃもじが近づいたとき、発振周波数に変化をキャッチし、しゃもじの検知を行う。
【００３８】
制御部４３は、蓋体３６のロックを制御するもので、しゃもじ検知センサー４２からの出力により、しゃもじが接近していなときは、電磁石４１に電流を流し磁力で蓋体３６をロックし、しゃもじが接近したときには電流を流さずロックを解除するように構成している。
【００３９】
上記構成において動作、作用を説明する。しゃもじ検知センサー４２がしゃもじの接近を検知していない状態では、制御部４３は電磁石４１に炊飯器本体３３の上部に設けた磁性体４０と引き合うように電流を流す。電流が流れることによって電磁石４１の磁力により磁性体４０を吸引し、ヒンジばね３８の付勢力に対してロック状態になり、蓋体３６は閉成状態にある。
【００４０】
しゃもじ検知センサー４２がしゃもじの接近を検知して、しゃもじ検知センサー４２からの出力を制御部４３に入力する。しゃもじ検知センサー４２からの出力を入力した制御部４３は、電磁石４１に流していた電流を流さないように制御し、磁性体４０と電磁石４１との吸引力で炊飯器本体３３と蓋体３６は閉成状態にあったが、吸引力がなくなるため、ヒンジばね３８により蓋体３６は開成方向に付勢され、蓋体３６を開くことができる。
【００４１】
以上のように、本実施の形態においては、しゃもじ検知センサー４２からの出力により、しゃもじが接近していないときは、電磁石４１に電流を流し磁力で蓋体３６をロックし、しゃもじが接近したときには電流を流さずロックを解除するようにしたので、磁力で蓋体３６をロックできるので、蓋体３６のロックを解除する部材、すなわち、フックレバーをなくすことができ、使用者がロック解除操作することなく蓋体３６を開成することができ、また、蓋体３６のロックを解除する部材、すなわち、フックレバーと炊飯器本体３３との継ぎ目をなくすことができるので、手入れ性ならびに美観を向上することができる。
【００４２】
なお、本実施の形態では、炊飯器本体３３の上部に磁性体４０を設け、蓋体３６の前方部に電磁石４１を設けたが、逆に設けてもよい。
【００４３】
また、図４では、炊飯器本体３３に設けた磁性体４０よりも、蓋体３６の前方部に設けた電磁石４１の方が、面積が大きくなっているが、どちらが大きくてもよく、また同じ面積でもよい。
【００４４】
（実施の形態３）
図５は、本発明の実施の形態３における炊飯器の側断面図を示すものである。
【００４５】
図５に示すように、制御部４４は、炊飯中には、しゃもじ検知センサー２５がしゃもじの接近を検知しても、動作部２７に信号を送らないように制御し、蓋体１６が開かないよう制御するようにしている。他の構成は上記実施の形態１と同じであり、同一符号を付して説明を省略する。
【００４６】
上記構成において動作、作用を説明する。炊飯中にはしゃもじ検知センサー２５がしゃもじの接近を検知して制御部４４に出力しても、制御部４４から動作部２７に信号を送らないように制御しているため、炊飯中にしゃもじを炊飯器本体１３のそばにおいても、蓋体１６が開くことはなく、蓋体１６が開くことによって発生する加熱量の低減や炊飯中の必要な蒸気の流出になどによる炊飯性能の悪化を防ぐことができる。
【００４７】
なお、本実施の形態では、制御部４４から動作部２７に信号を送らないように制御しているが、人体検知センサー２５から制御部４４に信号を送らないように制御してもよい。
【００４８】
（実施の形態４）
図６は、本発明の実施の形態４における炊飯器の蓋体が閉じた状態での側断面図を示し、図７は、同炊飯器の蓋体が開いた状態での側断面図を示すものである。
【００４９】
図６および図７に示すように、制御部４５は、炊飯終了後、所定の時間、蓋体３６を開くように制御し、所定の時間が経過後蓋体３６を閉じるように制御している。ここで、所定の時間は、通常ご飯をほぐすために要する時間で、約３０秒から約２分までの時間とする。他の構成は上記実施の形態２と同じであり、同一符号を付して説明を省略する。
【００５０】
上記構成において動作・作用を説明する。しゃもじ検知センサー４２がしゃもじの接近を検知していない状態では、制御部４５は電磁石４１に炊飯器本体３３の上部に設けた磁性体４０を引き合うように電流を流す。電流が流れることによって電磁石４１と磁性体４０は吸引力を生じ、ヒンジばね３８の付勢力に対してロック状態になり、蓋体３６は、図６に示すように、閉成状態にある。
【００５１】
しゃもじ検知センサー４２がしゃもじの接近を検知すると、しゃもじ検知センサー４２からの出力を制御部４５に入力する。しゃもじ検知センサー４２からの出力を入力した制御部４５は、電磁石４１に流していた電流を流さないように制御し、磁性体４０と電磁石４１との吸引力で炊飯器本体３３と蓋体３６は閉成状態にあったが、吸引力がなくなるため、ヒンジばね３８により蓋体３６は開成方向に付勢され、蓋体３６に触れなくても、蓋体３６を開くことができる。
【００５２】
炊飯終了後、制御部４５はしゃもじの接近の有無に関わらず、電磁石４１に流している電流を流さないように制御することで、蓋体３６を閉成状態にさせていた吸引力がなくなるために、ヒンジばね３８による付勢力によって、図７に示すように、蓋体３６は開成状態になる。蓋体３６が開成状態になることで、炊飯器本体３３内に存在する余分な水蒸気が炊飯器本体３３の外部に蒸発することにより、今まで、余分な蒸気を飛ばすために過剰に入れていた熱量を下げることができ、ご飯の表面の部分乾燥を抑えることができる。
【００５３】
また、余分な蒸気を飛ばすまでに要した所定の時間経過後、蓋体３６が開成状態であるとご飯の温度が下がり、ご飯が腐敗しやすくなるなどの保温性能に対して悪影響を及ぼすので、制御部４５は軸部に設けたモータ（図示せず）で蓋体３６を閉めるように制御し、蓋体３６が炊飯器３３に近づいたときに、電磁石４１に電流を流すように制御し、電磁石４１と磁性体４０との吸引力で蓋体３６は閉成状態に付勢され、蓋体３６は閉成状態になる。
【００５４】
以上のように、本実施の形態においては、炊飯終了後、所定の時間蓋体３６を開くよう制御するようにしたので、炊飯器内に余分に溜まった水分を蒸発させることができ、水分をとばすために入れていた過剰な加熱を減らすことができ、ご飯の表面部における部分乾燥を抑えることができ、より良いご飯を提供することができる。
【００５５】
また、所定の時間後蓋体３６を閉めるよう制御するようにしたので、余分な蒸気を逃がした後、蒸気を逃がさずご飯の乾燥を防ぐことができる。
【産業上の利用可能性】
【００５６】
以上のように、本発明にかかる炊飯器は、使用者がロック解除操作しなくても蓋体を開成することができ、使い勝手を向上することができるので、炊飯器本体の上面開口部を開閉自在に覆う蓋体を有する炊飯器として有用である。
【図面の簡単な説明】
【００５７】
【図１】本発明の実施の形態１における炊飯器の側断面図
【図２】同炊飯器の他の例の側断面図
【図３】同炊飯器の他の例の側断面図
【図４】本発明の実施の形態２における炊飯器の側断面図
【図５】本発明の実施の形態３における炊飯器の側断面図
【図６】本発明の実施の形態４における炊飯器の蓋体を閉じた状態の側断面図
【図７】同炊飯器の蓋体を開いた状態の側断面図
【図８】従来の炊飯器の側断面図
【符号の説明】
【００５８】
１３  炊飯器本体
１４  内鍋
１５  加熱手段
１６  蓋体
１７  ヒンジ軸
１８  ヒンジばね（弾性部材）
２０  フックレバー（開閉手段）
２５  しゃもじ検知センサー
２６  制御部
２７  動作部
【図１】
2006068278.tif 000003
【図２】
2006068278.tif 000004
【図３】
2006068278.tif 000005
【図４】
2006068278.tif 000006
【図５】
2006068278.tif 000007
【図６】
2006068278.tif 000008
【図７】
2006068278.tif 000009
【図８】
2006068278.tif 000010